(57)【要約】【課題】点検作業を効率よく行うことができる照明装置を提供する。【解決手段】照明装置は、光源、モニタランプ、レンズ部材を有する。光源は、外部電池から供給される電力により点灯する。モニタランプは、光源の点灯状態を通知する。レンズ部材は、光源およびモニタランプからの光を拡散させて外部に照射させる。【選択図】図２
2019175548.tif 000002
【特許請求の範囲】
【請求項１】
外部電池から供給される電力により点灯する光源と；
前記光源の点灯状態を通知するモニタランプと；
前記光源および前記モニタランプからの光を拡散して外部に照射させるレンズ部材と；
を具備することを特徴とする照明装置。
【請求項２】
前記モニタランプは、前記光源とは異なる発光色を有することを特徴とする請求項１に記載の照明装置。
【請求項３】
前記モニタランプは、前記光源の消灯中に点灯することを特徴とする請求項１または２に記載の照明装置。
【請求項４】
前記外部電池は、外部電源からの電力を蓄電し、前記外部電源からの電力供給の遮断後に放電する蓄電池であることを特徴とする請求項１〜３のいずれか１つに記載の照明装置。
【請求項５】
前記光源は、前記外部電源からの電力供給が遮断された場合に点灯する非常用光源であることを特徴とする請求項４に記載の照明装置。
【発明の詳細な説明】
【技術分野】
【０００１】
本発明の実施形態は、照明装置に関する。
【背景技術】
【０００２】
従来、停電時や災害時等の非常時に点灯する照明装置が知られている。かかる照明装置は、例えば非常用の照明装置や避難経路等への誘導のために点灯する誘導用の照明装置として用いられる。
【先行技術文献】
【特許文献】
【０００３】
【特許文献１】特開２００４−１８５９７８号公報
【発明の概要】
【発明が解決しようとする課題】
【０００４】
このような照明装置では、例えば停電等のイベント発生時の実効性を担保するために点検作業が行われる。点検作業には、照明装置が規定時間点灯していることを目視にて確認する作業が含まれており、点検作業を効率よく行うことが困難であった。
【０００５】
本発明が解決しようとする課題は、点検作業を効率よく行うことができる照明装置を提供することである。
【課題を解決するための手段】
【０００６】
実施形態の照明装置は、光源、モニタランプ、レンズ部材を具備する。光源は、外部電池から供給される電力により点灯する。モニタランプは、光源の点灯状態を通知する。レンズ部材は、光源およびモニタランプからの光を拡散させて外部に照射させる。
【発明の効果】
【０００７】
本発明によれば、点検作業を効率よく行うことができる照明装置を提供することができる。
【図面の簡単な説明】
【０００８】
【図１】実施形態に係る照明装置の底面図である。
【図２】実施形態に係る照明装置を示す図１のＡ−Ａ断面図である。
【図３】実施形態に係る照明装置の構成例を示すブロック図である。
【図４】制御部の機能ブロック図である。
【図５】モニタランプの点灯モード例を示す図である。
【図６】第２基板の変形例を示す図である。
【発明を実施するための形態】
【０００９】
以下に説明する実施形態に係る照明装置１０は、光源１１、モニタランプ１２、レンズ部材１３を具備する。光源１１は、外部電池から供給される電力により点灯する。モニタランプ１２は、光源１１の点灯状態を通知する。レンズ部材１３は、光源１１およびモニタランプ１２からの光を拡散させて外部に照射させる。
【００１０】
また、以下に説明する実施形態に係るモニタランプ１２は、光源１１とは異なる発光色を有する。
【００１１】
また、以下に説明する実施形態に係るモニタランプ１２は、光源１１の消灯中に点灯する。
【００１２】
また、以下に説明する実施形態に係る外部電池は、外部電源３０からの電力を蓄電し、外部電源３０からの電力供給の遮断後に放電する蓄電池３１である。
【００１３】
また、以下に説明する実施形態に係る光源１１は、外部電源３０からの電力供給が遮断された場合に点灯する非常用光源である。
【００１４】
以下に、本発明に係る実施形態を図面に基づき説明する。なお、以下に示す実施形態は、本発明が開示する技術を限定するものではない。また、実施形態において同一の部位には同一の符号を付し、重複する説明は省略する。
【００１５】
［実施形態］
［照明装置の構造］
まず、照明装置１０の構造について説明する。図１は、実施形態に係る照明装置の底面図である。図２は、実施形態に係る照明装置を示す図１のＡ−Ａ断面図である。照明装置１０は、外部電源および外部電池に接続されている。照明装置１０は、外部電源からの電力供給が遮断された場合（非常時）に、外部電池から供給される電力で点灯する非常用の照明装置である。なお、照明装置１０は、外部電源から電力供給がなされている場合（通常時）にも点灯してもよい。
【００１６】
なお、以下の説明には、Ｘ軸、Ｙ軸およびＺ軸から構成される直交座標系を用いる。図中、矢印の指し示す方向が正方向である。本実施形態の場合、Ｘ軸、Ｙ軸は水平方向に軸方向を有しており、Ｚ軸は鉛直線の方向に軸方向を有している。また、図１に示すＡ−Ａ線は、Ｘ軸に沿う方向となっている。なお、以下の説明で示されるＸ軸方向、Ｙ軸方向およびＺ軸方向は、照明装置１０の発光方向が下向きであることを前提としたものである。照明装置１０の設置形態にあわせ、Ｘ軸、Ｙ軸およびＺ軸の各方向は適宜読み替える。例えば、発光方向が水平方向なのであれば、Ｚ軸方向も水平方向である。
【００１７】
図１、図２に示すように、照明装置１０は、光源１１、モニタランプ１２、レンズ部材１３、板状体１４、接続部１７、取付けばね１８、１９、筐体２０、第１基板２１、保持部材２２、第２基板２３、点灯ユニット３２を備える。
【００１８】
照明装置１０は、天井または壁に埋め込まれる埋め込み式の照明装置である。本実施形態の照明装置１０は、天井板に開けられた穴に埋め込まれて使用される。照明装置１０は、取付けばね１８、１９の押圧力により天井に固定される。なお、図示した照明装置１０はあくまで一例である。照明装置１０は必ずしも埋め込み式の照明装置でなくてもよい。例えば、照明装置１０は吊り下げ式の照明装置であってもよい。
【００１９】
光源１１は、例えば、ＬＥＤである。光源１１は、外部電源からの電力供給が停止した場合に点灯する非常用光源である。光源１１は、後述する外部電池から供給される電力により点灯する。光源１１は、第１基板２１上の配線パターンにより点灯ユニット３２に接続されており、点灯ユニット３２から直流出力が供給され、点灯ユニット３２により点灯制御される。光源１１は、例えばセラミックスで形成された本体に配設されたＬＥＤチップと、このＬＥＤチップを封止するエポキシ系樹脂やシリコーン樹脂等のモールド用の透光性樹脂とを含んでもよい。
【００２０】
ＬＥＤチップは、例えば、青色光を発する青色のＬＥＤチップである。透光性樹脂には、蛍光体が混入されており、白色光を出射できるようにするために、青色の光とは補色の関係にある黄色系の光を放射する黄色蛍光体が使用されている。なお、ＬＥＤチップは、例えば赤色光や緑色光を発するものであってもよい。
【００２１】
また、ＬＥＤは、ＬＥＤチップを直接第１基板２１に実装するようにしてもよく、また、砲弾型のＬＥＤを実装するようにしてもよく、実装方式や形式は、特に限定されるものではない。
【００２２】
モニタランプ１２は、例えば、ＬＥＤランプである。モニタランプ１２は、第１基板２１とは異なる第２基板２３に配置されている。モニタランプ１２は、光源１１の点灯状態を通知する。モニタランプ１２は、光源１１の点灯状態に応じた点灯モードで点灯することで、照明装置１０を点検する点検者に対し、光源１１の点灯状態を通知する。モニタランプ１２は、光源１１とは異なる発光色を有する。これにより、照射された光が光源１１に由来するものかモニタランプ１２に由来するものかがより明確になる。ただし、モニタランプ１２は、光源１１と同じ発光色を有してもよい。
【００２３】
通知される光源１１の点灯状態には、例えば、通電により光源１１が所定時間以上点灯したか否かといった情報が含まれる。また、モニタランプ１２の点灯モードには、例えば、所定時間継続して点灯する「点灯」、所定間隔で点灯と消灯とを繰り返す「点滅」、所定時間継続して点灯しない「不点灯」などが含まれる。モニタランプ１２による光源１１の点灯状態の通知例については、図５を用いて後述する。
【００２４】
レンズ部材１３は、例えば、ガラスレンズである。レンズ部材１３は、光源１１およびモニタランプ１２の光の照射方向を覆うように配置される。レンズ部材１３は、光源１１およびモニタランプ１２からの光を広範囲に広げて照射するように拡散させる。なお、図２に示す例では、モニタランプ１２は、レンズ部材１３と対向するように配置されているが、レンズ部材１３がモニタランプ１２からの光を拡散して外部に照射させることができる不図示の導光手段を設ければ、モニタランプ１２は、レンズ部材１３と対向しなくても構わない。
【００２５】
板状体１４は、板状の化粧枠である。板状体１４は、照明装置１０の設置時に天井から露出する部分である。板状体１４は、筐体２０を覆い隠すように、筐体２０の底部より一回り大きい。なお、図１の例では、板状体１４の形状は底面視で円形となっているが、板状体１４の形状はこれに限定されない。例えば、板状体１４の形状は、底面視で楕円形であってもよいし、多角形（例えば、三角形、四角形、六角形）であってもよい。板状体１４は、硬質素材で形成されている。例えば、板状体１４は、鉄、アルミ等の金属、若しくは、硬質塩化ビニル等の硬質樹脂で形成されている。
【００２６】
板状体１４には、貫通孔１５が形成されている。貫通孔１５は、光源１１用およびモニタランプ１２用の窓である。貫通孔１５は、板状体１４の中央に設けられている。
【００２７】
また、図２に示すように、貫通孔１５と光源１１との間にはレンズ部材１３が配置されている。レンズ部材１３の中央部は貫通孔１５から板状体１４の外側に突出しており、光源１１からの光は、レンズ部材１３および貫通孔１５を介して所定の照射角度で照明装置１０の外部に照射される。
【００２８】
接続部１７は、照明装置１０を動作させる各種ケーブルの接続用の端子が配置された端子台である。接続部１７は、筐体２０からＺ軸と交差するＸＹ平面に沿った方向に突出するように配置されている。なお、接続部１７は図示した配置に限られず、例えば筐体２０上、すなわち筐体２０のＺ軸正方向側に載置されてもよい。
【００２９】
筐体２０は、一方の底面が開口した有底の筒状体である。図２に示す例では、筐体２０の形状は円筒形である。ただし、筐体２０の形状は円筒形に限定されない。例えば、筐体２０の形状は、角筒形であってもよいし、半球形であってもよい。筐体２０は、硬質素材で形成されている。例えば、筐体２０は、鉄、アルミ等の金属、若しくは、硬質塩化ビニル等の硬質樹脂で形成されている。筐体２０は、照明装置１０の設置時に天井に埋め込まれてユーザから見えなくなる部分である。筐体２０の開口部分の周縁にはフランジが設けられている。照明装置１０の設置時、このフランジが、天井板（天井板に開けられた穴の外周部分）に引っかかり、照明装置１０が天井裏に完全に埋没してしまうのを防止する。筐体２０は、光源１１が光を発する方向（以下、発光方向という。）に向けて開口している。本実施形態の照明装置１０は天井から下方向に向けて光を発するので、発光方向は下方向（Ｚ軸マイナス方向）である。筐体２０の開口は、板状体１４で覆われている。
【００３０】
また、筐体２０は、照明装置１０を構成する各種部品を収容する収容部２４を有する。収容部２４には、光源１１、モニタランプ１２、レンズ部材１３、第１基板２１、保持部材２２、第２基板２３、点灯ユニット３２が収容される。収容部２４は、放熱部材（不図示）を収容してもよい。
【００３１】
第１基板２１および第２基板２３は、例えばガラスエポキシ樹脂などの絶縁性を有する平板である。第１基板２１は、板状体１４と対向する一方面側に光源１１が実装され、他方面側には点灯ユニット３２が配置されている。
【００３２】
第２基板２３は、長さ方向が第１基板２１と交差し、Ｚ軸方向に沿って延びるように配置されている。第２基板２３は、板状体１４と対向する一方面側にモニタランプ１２が実装されている。第２基板２３をこのように配置することにより、板状体１４のサイズを小さくすることができる。すなわち、照明装置１０は、ＸＹ平面方向の形状をコンパクトにすることができる。
【００３３】
保持部材２２は、光源１１を囲むように配置され、光源１１を第１基板２１の予め定められた位置に保持する。また、保持部材２２の表面は、光源１１からの光を反射する反射板を兼ねる。なお、保持部材２２に代えて光源１１およびモニタランプ１２からの光を反射する反射板を配設してもよい。
【００３４】
点灯ユニット３２は、光源１１の点灯動作および外部電池への充放電動作を行う電源装置である。点灯ユニット３２は、外部電源および外部電池に接続され、光源１１の点灯動作および外部電池に対する充放電動作を行う。
【００３５】
［照明装置の構成］
次に、図３を参照して照明装置１０の機能的構成について説明する。図３は、実施形態に係る照明装置の構成例を示すブロック図である。図３に示すように、照明装置１０は、接続部１７、点灯ユニット３２、光源１１、モニタランプ１２を備える。点灯ユニット３２は、電源回路３３、制御部３４、記憶部３７を備える。
【００３６】
電源回路３３は、接続部１７を介して外部電源３０および蓄電池３１に接続されている。外部電源３０は、例えば商用交流電源である。蓄電池３１は、例えばリチウムイオン電池等の充放電可能な二次電池である。蓄電池３１は、照明装置１０の外部に配設される外部電池の一例である。蓄電池３１は、例えば照明装置１０が設置される構造物（Structure）の内あるいは外に配置される。構造物は、高層ビル、中層ビル、家屋、鉄塔、駅施設、空港施設、港湾施設、スタジアム、灯台等の建物であってもよいし、橋梁、塀、鉄柱等の構築物（Non-building  structure）であってもよい。また、構造物は、クレーン、門、風車等の設備であってもよい。また、蓄電池３１は、自動車、航空機、船舶等の移動体に配置されていてもよい。
【００３７】
点灯ユニット３２は、蓄電池３１の充放電動作を行う。具体的には、点灯ユニット３２は、外部電源３０から供給される電力を蓄電池３１に充電させる。また、例えば停電により外部電源３０からの電力供給が遮断された場合には、点灯ユニット３２は、蓄電池３１に蓄えられた電力を放電させる。
【００３８】
電源回路３３は、光源１１の点灯動作を行う。具体的には、電源回路３３は、蓄電池３１に蓄えられた電力から所定の直流出力を生成し、光源１１を点灯させる。
【００３９】
また、電源回路３３は、モニタランプ１２の点灯動作を行う。電源回路３３は、蓄電部３３ａを有する。蓄電部３３ａは、蓄電池３１に蓄えられた電力が電源回路３３に供給される間、すなわち光源１１が点灯している間に蓄電される。また、電源回路３３は、光源１１の消灯後に蓄電部３３ａに蓄電された電力を放電させてモニタランプ１２を点灯させる。
【００４０】
制御部３４は、例えばマイコン等の処理装置である。ここで、図４を用いて、制御部３４の構成について説明する。図４は、制御部の機能ブロック図である。図４に示すように、制御部３４は、判定部３５と発光制御部３６とを有する。
【００４１】
判定部３５は、外部電源３０との接続が遮断されたか否かを判定する。例えば、判定部３５は、外部電源３０からの入力電圧が０Ｖとなり、電力供給が遮断されたことを契機として外部電源３０との接続が遮断されたと判定する。
【００４２】
また、判定部３５は、蓄電池３１との接続開始から所定期間が経過したか否かを判定する。また、判定部３５は、光源１１が点灯したか否かを判定する。また、判定部３５は、光源１１が点灯された場合に点灯開始から所定期間継続して点灯したか否かを判定する。また、判定部３５は、モニタランプ１２が点灯された場合に点灯開始から所定期間が経過したか否かを判定する。また、判定部３５は、モニタランプ１２が点滅される場合には、点滅における点灯期間および消灯期間が経過したか否かを判定する。点滅における点灯期間および消灯期間は、点灯モードの一例として記憶部３７に予め設定されており、数秒間隔で点灯と消灯とが繰り返される。なお、点滅における点灯期間および消灯期間は、変更可能であってもよい。
【００４３】
発光制御部３６は、蓄電池３１から電源回路３３を介して供給される直流電流を光源１１へ給電し、光源１１の点灯を制御する。また、発光制御部３６は、蓄電部３３ａから供給される直流電流をモニタランプ１２へ給電し、モニタランプ１２の点灯を制御する。具体的には、発光制御部３６は、判定部３５で判定された光源１１の点灯状態に応じた点灯モードでモニタランプ１２を点灯させる。
【００４４】
ここで、図５を用いて、モニタランプ１２の点灯モードの具体例について説明する。図５は、モニタランプの点灯モード例を示す図である。
【００４５】
図５（ａ）は、光源１１の点灯状態を３つの類型に分類した例を示す。図５（ａ）中、「正常点灯」とは、光源１１が記憶部３７に予め設定された期間（例えば、３０分間、または１時間など）、継続して点灯された状態であったことをいう。また、「異常点灯」とは、光源１１が点灯したものの、「正常点灯」に至るまでに消灯したことをいう。そして、「不点灯」とは、蓄電池３１から光源１１側への給電は行われたものの、光源１１の故障や電線の切断等により光源１１が全く点灯しなかったことをいう。
【００４６】
また、図５（ａ）に示す例では、発光制御部３６は、光源１１の点灯状態が「正常点灯」であった場合、モニタランプ１２を点滅させ、「異常点灯」であった場合、モニタランプ１２を点灯させ、「不点灯」であった場合、モニタランプ１２を不点灯のままとする。このように光源１１の点灯状態に応じて異なる点灯モードでモニタランプ１２を点灯させることにより、光源１１の点灯状態を通知することができる。これにより、点検作業を行う作業者は、モニタランプ１２の点灯モードを確認すればよく、光源１１の点灯状態を所定時間継続して視認する必要がなくなるため、点検作業を効率よく行うことができる。なお、点灯モードは、図５（ａ）に示した例に限られない。例えば、発光制御部３６は、光源１１の点灯状態が「正常点灯」であった場合、モニタランプ１２を点灯させ、「異常点灯」であった場合、モニタランプ１２を点滅させてもよい。
【００４７】
また、図５（ｂ）に示すように、点灯モードを２種類にしてもよい。図５（ｂ）では、図５（ａ）における「正常点灯」以外の点灯状態をすべて「異常点灯」と判定し、モニタランプ１２を不点灯のままとする。このように点灯モードを２種類にすることで、モニタランプ１２の点検作業を簡略化することができる。また、モニタランプ１２による電力消費が低減される。
【００４８】
なお、モニタランプ１２は、光源１１を所定時間継続して点灯させた後、光源１１が消灯してから点灯を開始させてもよく、光源１１が点灯中に点灯を開始してもよい。また、モニタランプ１２は、所定時間（例えば、３０分間、または１時間など）継続して点灯させた後で消灯させてもよく、蓄電部３３ａの容量が０となるまで継続して点灯させてもよい。
【００４９】
図３に戻り、記憶部３７は、ＤＲＡＭ（Dynamic  Random  Access  Memory）、ＳＲＡＭ（Static  Random  Access  Memory）、フラッシュメモリ等の記憶装置である。記憶部３７は、制御部３４で実行される各種プログラムを記憶する。さらに、記憶部３７は、プログラムの実行で用いられる各種情報を記憶する。また、記憶部３７は、モニタランプ１２の点灯モードを記憶する。
【００５０】
［変形例］
図２に示した例では、第２基板２３はＺ軸方向に延びるように配置されたが、これに限らず、例えば図６に例示するようにＸＹ平面に沿うように配置させてもよい。図６は、第２基板の変形例を示す図である。図６では、図１に示す照明装置１０から板状体１４を取り外したときの第１基板２１および第２基板２３の配置の様子を模式的に示したものである。
【００５１】
図６（ａ）に示すように、光源１１を、第１基板２１のＸ軸負方向側の端面２１ａの近くに配置させ、第２基板２３を端面２１ａに沿ってＹ軸方向に延びるように配置させることとしてもよい。また、図６（ｂ）に示すように、第１基板２１の端面２１ａおよびＹ軸正方向側の端面２１ｂに沿って略Ｌ字状に折り曲げられた形状の第２基板２３を配置させてもよい。このように第２基板２３をＸＹ平面に沿うように配置させることにより、例えば高さ方向、すなわちＺ軸方向のサイズをコンパクトにすることができる。
【００５２】
実施形態に係る照明装置１０は、光源１１、モニタランプ１２、レンズ部材１３を具備する。光源１１は、外部電池から供給される電力により点灯する。モニタランプ１２は、光源１１の点灯状態を通知する。レンズ部材１３は、光源１１およびモニタランプ１２からの光を拡散させて外部に照射させる。これにより、モニタランプ１２からの光が見やすくなるため、点検作業を効率よく行うことができる。また、光源１１とモニタランプ１２とを近づけて配置させることにより、照明装置１０をコンパクトにすることができる。
【００５３】
また、実施形態に係るモニタランプ１２は、光源１１とは異なる発光色を有する。これにより、モニタランプ１２からの光が見やすくなるため、点検作業を効率よく行うことができる。
【００５４】
また、実施形態に係るモニタランプ１２は、光源１１の消灯中に点灯する。これにより、モニタランプ１２からの光が見やすくなるため、点検作業を効率よく行うことができる。
【００５５】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００５６】
１０  照明装置
１１  光源
１２  モニタランプ
１３  レンズ部材
１４  板状体
２１  第１基板
２３  第２基板
３０  外部電源
３１  蓄電池
３３ａ  蓄電部
【図１】
2019175548.tif 000003
【図２】
2019175548.tif 000004
【図３】
2019175548.tif 000005
【図４】
2019175548.tif 000006
【図５】
2019175548.tif 000007
【図６】
2019175548.tif 000008